(57)【特許請求の範囲】
【請求項１】
クリップ後端の基部を、軸体の外面に突設して設けられた取り付け部に係合してなる筆記具のクリップにおいて、前記クリップの本体部分に貫通孔を形成すると共に、前記クリップの本体部分の上面に軸体の前記取り付け部の一部である被覆部を被覆し、また、その軸体の取り付け部の一部である被覆部の裏面に係止部を形成すると共に、その係止部を前記クリップの本体部分の貫通孔に挿着させたことを特徴とするクリップの取り付け構造。
【請求項２】
前記軸体の被覆部に装飾部を一体形成したことを特徴とする請求項１記載のクリップの取り付け構造。
【発明の詳細な説明】
【技術分野】
【０００１】
本発明は、クリップ後端の基部を、軸体の外面に突設して設けられた取り付け部に係合してなるクリップの取り付け構造に関する。
【背景技術】
【０００２】
１例として、特開２００３−１４５９９１公報に記載の筆記具のクリップを挙げ説明する。
金属板材からなるクリップ本体には、樹脂製の装飾部材が取り付けられている。その取り付け手段について具体的に説明する。装飾部材の裏面には突起が形成されている。一方、クリップ本体の表面板には貫通孔が形成されており、その貫通孔に前記装飾部材の突起が嵌着し固定されている。そして、前記クリップ本体と装飾部材の固定力を高めるために、前記貫通孔は大きく形成されており、それ故に、クリップ本体の貫通孔が位置する側部には幅方向へ張り出す膨出部が形成されている。
【特許文献１】特開２００３−１４５９９１号公報。
【発明の開示】
【発明が解決しようとする課題】
【０００３】
しかし、上記従来技術にあっては、クリップ本体に、装飾部材を別部材として固定しているため、新たにその装飾部材が必要となり部品点数が増加してしまっていた。また、装飾部材とクリップ本体が別部材として構成されているため、それらを組み合わせなければならず、その組み立て工数を必要としていた。結果的に、製品を高騰化させてしまっていた。
更に、前記装飾部材をそれ自体でクリップ本体の上面に固定しているため、装飾部材がクリップ本体から外れないような余裕を持った強度設定をしなければならず、強度を高めようとすると前記装飾部材が大きく浮き出た形状となってしまい、クリップ本体の大きさと比較しても決してバランスの良いものとは言えず、また、クリップ本体にも膨出部が形成されてしまうなどして意匠的な観点からも良いものではなかった。
【課題を解決するための手段】
【０００４】
本発明は、クリップ後端の基部を、軸体の外面に突設して設けられた取り付け部に係合してなる筆記具のクリップにおいて、前記クリップの本体部分に貫通孔を形成すると共に、前記クリップの本体部分の上面に軸体の前記取り付け部の一部である被覆部を被覆し、また、その軸体の取り付け部の一部である被覆部の裏面に係止部を形成すると共に、その係止部を前記クリップの本体部分の貫通孔に挿着させたことを要旨とする。
【発明の効果】
【０００５】
本発明は、クリップ後端の基部を、軸体の外面に突設して設けられた取り付け部に係合してなる筆記具のクリップにおいて、前記クリップの本体部分に貫通孔を形成すると共に、前記クリップの本体部分の上面に軸体の前記取り付け部の一部である被覆部を被覆し、また、その軸体の取り付け部の一部である被覆部の裏面に係止部を形成すると共に、その係止部を前記クリップの本体部分の貫通孔に挿着させたので、部品点数を増加させることなく、装飾性に優れた安価な製品を提供することができる。
【発明を実施するための最良の形態】
【０００６】
本発明の実施の形態を図１〜図７に示し詳細に説明する。金属製のクリップ１と樹脂製の頭冠２は筆記具本体３の後方に配置されている。クリップ１の後部には、頭冠２の方向に向けてコ型の起立片１ｆが形成されており、その起立片１ｆには内側方向に向けて係合片１ｇが形成されている。そして、その係合片１ｇの端面部には、凹凸部１ａが形成されている。また、起立片１ｆの後端部には、クリップ１の本体部に向かって低くなる傾斜部１ｂが形成されている。一方、クリップ１の本体部の上面１ｃには凹部１ｈが形成されており、美的効果を向上させている。その凹部１ｈの前方には、後述する頭冠の装飾部と係合する貫通孔１ｄが形成されている。その貫通孔１ｄの形状は、本例においてはクリップ１の幅方向に長い楕円形状をなしているが、真円であっても良いし、四角形や五角形といった多角形としても良い。後述する頭冠２の装飾部（被覆部）２ｃを透明や半透明の材料で形成する場合には、興趣性をそそる星型形状や花を模った形状などとしても良い。
尚、クリップ１の前方内面には、筆記具本体３の表面に接触し、挟持部となる玉部１ｉが一体形成されているが、別部材で構成しクリップ１の本体部に固定しても良い。また、前記起立片１ｆの前端部には、内側方向に向かって折り曲げられた折り返し部１ｅが形成されている。
前記頭冠２の後部の両側面には、前記係合片１ｇが案内され、その係合片１ｇの凹凸部１ａが食い込む係止溝部２ａが形成されている。また、頭冠２の後端部には、鍔部２ｇが形成されており、その鍔部２ｇの下面には前記クリップ１の傾斜部１ｂが接触する傾斜部２ｂが形成されている。この傾斜部２ｂに沿って頭冠２の鍔部２ｇもクリップ１の方向に向かって低くなる傾斜面を有している。また、その鍔部２ｇからは、装飾部２ｃが一体に延設形成されているが、その装飾部２ｃは前記係止溝２ａ間に位置するように形成されている。本例においては、その装飾部２ｃを薄板形状としているが、立体性のある形状としても良い。装飾部２ｃを透明性のある材料で成形した場合などには、前記クリップ１の本体部に形成した凹部に装飾部２ｃの裏面２ｄが接触し、その凹部１ｈに立体感が得られ、より一層、意匠性が向上する。また、装飾部２ｃの裏面２ｄの前方には、前記クリップ１の貫通孔１ｄに係合する突起部２ｅが形成されている。その突起部２ｅには前方に向かって突出した係止部２ｆが形成されている。尚、前記突起部２ｅの縦方向の厚さは、貫通孔１ｄの縦方向の長さよりも短く形成されている。即ち、貫通孔１ｄと突起部２ｅの縦方向には隙間４が形成されている。突起部２ｅの貫通孔１ｄへの組立性の向上と、使用時におけるクリップ１の湾曲による変形しろを考慮してのことである。
【０００７】
符号５は、先端にボールペンチップなどが取り付けられたボールペンリフィルであって、そのボールペンリフィル５はコイルスプリングなどの弾撥部材６によって常に後方に向けて付勢されている。所謂、筆記具本体３に対して出没が可能な出没式の筆記具となっている。また、ボールペンリフィル５の後部には、デビットカムもしくはロータリーカムと一般的には称される出没機構７が配置されており、その出没機構７の後部には前記筆記具本体３（頭冠２）の後部から突出した状態でノック部材８が取り付けられている。そのノック部材８もコイルスプリングなどの弾撥部材９によって後方に向けて付勢されているが、その弾撥部材９に抗してノック部材８を押圧動作せしめることによって前記出没機構７を作動し得るようになっている。
尚、前記筆記具本体３は、後軸３ａと前軸３ｂとから構成されており、それら後軸と前軸は螺合などの手段によって着脱自在に固定されている。その前軸の把持する部分には、ゴム状弾性体などからなるグリップ部材１０が装着されており、滑り防止効果と共に疲労の軽減などを向上させているが、前軸の表面に微細な凹凸などを形成することによって滑り止め効果を持たせても良い。
【０００８】
次に作用について説明する。前記クリップ１は、そのクリップ１の凹凸部１ａと頭冠２の係止溝部２ａによってガイドされながら頭冠２の後方に係合され、やがてクリップ１の斜面部１ｂと前記頭冠２の斜面部２ｂが当接する。この時、頭冠２の装飾部２ｃの裏面２ｄとクリップ１の上面１ｃが当接する。よって、頭冠２の装飾部２ｃが装飾を兼ねているため部品点数を増加させることがない。また、これと同時に、組立時には、頭冠２の装飾部２ｃの弾力によって突起部２ｅが前記クリップ１の貫通孔１ｄへと落ち込み、その結果、装飾部２ｃとクリップ１とが係合する。この際、前記頭冠２の係止部２ｆが貫通孔１ｄの前方部に係止され、装飾部２ｃのクリップ１からの脱落が防止される。また、前記の動作によって装飾部２ｃがクリップ１に係合するため、組立工程の短縮化が図れる。
ここで、クリップ１が取り付けられた頭冠２を筆記具本体３に組み付けるが、この際、クリップ１の折り返し部１ｅが前記頭冠２と筆記具本体３の後端部とで挟み込まれ、頭冠２からのクリップ１の脱落が完全に防止される。
【０００９】
尚、前記実施例におけるクリップ１は金属製を例示しているが透明や不透明色の樹脂であっても良く、使用に差し支えない形状、並びに、材質であれば適宜選択が可能である。また、前記頭冠２は装飾性を兼ね備えているので樹脂製を例示しているが、透明や半透明色の材料で成形し、装飾部２ｃを通してクリップ１の上面が透けて見えても良く、また、これに限定されることなく不透明であっても良いが、使用に差し支えない形状、並びに、材質であれば適宜選択が可能である。
【図面の簡単な説明】
【００１０】
【図１】本発明の筆記具ペン先収納時の一実施例外観斜視図である。
【図２】本発明の筆記具ペン先収納時の一実施例切断斜視図である。
【図３】図１のクリップ１の貫通穴１ｄと頭冠２の突起部２ｅの拡大切断斜視図である。
【図４】図１のクリップ１と頭冠２の分解斜視図である。
【図５】図１のクリップ１と頭冠２の分解側面図である。
【図６】図１のクリップ１と頭冠２の組立斜視図である。
【図７】図１のクリップ１と頭冠２の組立側面図である。
【符号の説明】
【００１１】
１    クリップ
１ａ  凹凸部
１ｂ  斜面部
１ｃ  上面
１ｄ  貫通孔
１ｅ  折り返し部
１ｆ  起立片
１ｇ  係合片
１ｈ  凹部
１ｉ  玉部
２    頭冠
２ａ  係止溝部
２ｂ  斜面部
２ｃ  装飾部（被覆部）
２ｄ  裏面
２ｅ  突起部
２ｆ  係止部
２ｇ  鍔部
３    筆記具本体
３ａ  後軸
３ｂ  前軸
４    隙間
５    ボールペンリフィル
６    弾撥部材
７    出没機構
８    ノック部材
９    弾撥部材
１０    グリップ部材
【図１】
0004692097.tif 000002
【図２】
0004692097.tif 000003
【図３】
0004692097.tif 000004
【図４】
0004692097.tif 000005
【図５】
0004692097.tif 000006
【図６】
0004692097.tif 000007
【図７】
0004692097.tif 000008